(57)【要約】携帯端末１の向き及び移動方向を検出する検出部３０と、検出部３０が検出した向き及び移動方向に応じた振動を発生させる振動部４０と、検出部３０が検出した向き及び移動方向に応じた動作を実行する制御部５０とを有する。
2014045765.tif 000002
【特許請求の範囲】
【請求項１】
携帯端末であって、
前記携帯端末の向き及び移動方向を検出する検出手段と、
前記検出手段が検出した向き及び移動方向に応じた振動を発生させる振動手段と、
前記検出手段が検出した向き及び移動方向に応じた動作を実行する制御手段とを有する携帯端末。
【請求項２】
請求項１に記載の携帯端末において、
前記携帯端末にて実行されるアプリケーションを示す情報を表示する表示手段を有し、
前記制御手段は、前記検出手段が検出した移動方向を、前記検出手段が検出した向きに応じて補正し、前記表示手段にて表示される位置が、前記補正された移動方向である情報によって示されるアプリケーションを実行する携帯端末。
【請求項３】
携帯端末であって、
前記携帯端末の移動方向を検出する検出手段と、
前記検出手段が検出した移動方向に応じた振動を発生させる振動手段と、
前記検出手段が検出した移動方向に応じた動作を実行する制御手段と、
触覚によって前記携帯端末の向きが認識可能な筐体とを有する携帯端末。
【請求項４】
請求項３に記載の携帯端末において、
前記携帯端末にて実行されるアプリケーションを示す情報を表示する表示手段を有し、
前記制御手段は、前記表示手段にて表示される位置が、前記検出手段が検出した移動方向である情報によって示されるアプリケーションを実行する携帯端末。
【請求項５】
請求項１乃至４のいずれか１項に記載の携帯端末において、
前記制御手段は、前記携帯端末の移動方向に応じて当該携帯端末のロック状態を解除する携帯端末。
【請求項６】
携帯端末の制御方法であって、
前記携帯端末の向き及び移動方向を検出する検出処理と、
前記検出処理が検出した向き及び移動方向に応じた振動を発生させる振動処理と、
前記検出処理が検出した向き及び移動方向に応じた動作を実行する動作実行処理とを有する制御方法。
【請求項７】
携帯端末に、
前記携帯端末の向き及び移動方向を検出する検出手順と、
前記検出手順が検出した向き及び移動方向に応じた振動を発生させる振動手順と、
前記検出手順が検出した向き及び移動方向に応じた動作を実行する動作実行手順とを実行させるためのプログラム。
【発明の詳細な説明】
【技術分野】
【０００１】
本発明は、携帯端末に関し、特に、携帯端末の移動方向に応じた動作を実行させる技術に関する。
【背景技術】
【０００２】
現在、携帯電話機は、情報交換や情報収集の面から、生活にはなくてはならないツールとなりつつある。携帯電話機は、世の中に登場した当時は、通話機能しか有していないものがほとんどであった。しかし、近年では、一般のパーソナルコンピュータと同様に、電子メールを送信したり、インターネットに接続したりすることができるようになっている。【０００３】
このような携帯電話機等の携帯端末は、表示画面に表示される情報を見ながら操作を行うことが一般的であるが、例えば、本を読みながら操作する場合等のように、表示画面に表示される情報を見ずに操作を行いたい場合もある。【０００４】
ここで、携帯端末の移動方向を検出し、移動方向に応じたアプリケーションを実行させる技術が特許文献１に開示されている。この技術を用いれば、表示画面に表示される情報を見ずに携帯端末にて所望のアプリケーションを実行させることができる。また、この技術においては、検出した移動方向に応じた振動を発生させることにより、実行するアプリケーションをユーザに認識させることができる。
【先行技術文献】
【特許文献】
【０００５】
【特許文献１】特開２００６−３３３３５５号公報
【発明の概要】
【発明が解決しようとする課題】
【０００６】
特許文献１に開示された技術は、携帯端末の移動方向に応じたアプリケーションを実行させるとともに、検出した移動方向に応じた振動を発生させている。ところが、携帯端末を見ないでこのような操作をした場合、携帯端末の向きによっては、ユーザが所望するアプリケーションとは異なるアプリケーションが実行されてしまう場合がある。例えば、携帯端末の表示部の面がユーザを向いている場合とユーザとは反対側を向いている場合とでは、携帯端末を同じ方向に移動させたとしても、携帯端末にて検出される移動方向は互いに反対方向となり、ユーザが所望するアプリケーションとは異なるアプリケーションが実行されてしまうことになる。【０００７】
本発明は、上述したような技術が有する問題点に鑑みてなされたものであって、見ながら操作することなく、所望の動作を実行させることができるとともにその動作をユーザが認識することができる携帯端末、その制御方法及びプログラムを提供することを目的とする。
【課題を解決するための手段】
【０００８】
上記目的を達成するために本発明は、
携帯端末であって、
前記携帯端末の向き及び移動方向を検出する検出手段と、
前記検出手段が検出した向き及び移動方向に応じた振動を発生させる振動手段と、
前記検出手段が検出した向き及び移動方向に応じた動作を実行する制御手段とを有する。【０００９】
また、携帯端末であって、
前記携帯端末の移動方向を検出する検出手段と、
前記検出手段が検出した移動方向に応じた振動を発生させる振動手段と、
前記検出手段が検出した移動方向に応じた動作を実行する制御手段と、
触覚によって前記携帯端末の向きが認識可能な筐体とを有する。【００１０】
また、携帯端末の制御方法であって、
前記携帯端末の向き及び移動方向を検出する検出処理と、
前記検出処理が検出した向き及び移動方向に応じた振動を発生させる振動処理と、
前記検出処理が検出した向き及び移動方向に応じた動作を実行する動作実行処理とを有する。【００１１】
携帯端末に実行させるためのプログラムであって、
前記携帯端末の向き及び移動方向を検出する検出手順と、
前記検出手順が検出した向き及び移動方向に応じた振動を発生させる振動手順と、
前記検出手順が検出した向き及び移動方向に応じた動作を実行する動作実行手順とを実行させる。
【発明の効果】
【００１２】
本発明によれば、見ながら操作することなく、所望の動作を実行させることができるとともにその動作をユーザが認識することができる。
【図面の簡単な説明】
【００１３】
【図１ａ】本発明の携帯端末の第１の実施の形態を示す外観図である。
【図１ｂ】本発明の携帯端末の第１の実施の形態を示す機能ブロック図である。
【図２】図１ａ及び図１ｂに示した携帯端末の制御方法を説明するためのフローチャートである。
【図３】図１ａ及び図１ｂに示した携帯端末のタッチパネル上にアプリケーション選択画面が表示された状態を示す図である。
【図４ａ】図３に示した携帯端末の向きに応じたアイコンの位置関係を示す図である。
【図４ｂ】図３に示した携帯端末の向きに応じたアイコンの位置関係を示す図である。
【図４ｃ】図３に示した携帯端末の向きに応じたアイコンの位置関係を示す図である。
【図４ｄ】図３に示した携帯端末の向きに応じたアイコンの位置関係を示す図である。
【図５ａ】本発明の携帯端末の第２の実施の形態を示す外観図である。
【図５ｂ】本発明の携帯端末の第２の実施の形態を示す機能ブロック図である。
【図６】図５ａ及び図５ｂに示した携帯端末の制御方法を説明するためのフローチャートである。
【発明を実施するための形態】
【００１４】
以下に、本発明の実施の形態について図面を参照して説明する。
【００１５】
（第１の実施の形態）
図１ａは、本発明の携帯端末の第１の実施の形態を示す外観図である。図１ｂは、本発明の携帯端末の第１の実施の形態を示す機能ブロック図である。
【００１６】
本形態は図１ａに示すように、筐体１０の前面にタッチパネル２０が設けられて構成されている。タッチパネル２０は、表示ユニット部２２上にタッチパッド部２１が重ね合わされて構成されている。
【００１７】
筐体１０は、例えば、フロントカバーとリアカバーとがその周囲にて嵌合されて構成された直方体形状からなる。
【００１８】
タッチパッド部２１は、その表面に導電膜（不図示）を有し、この導電膜と指等との間の静電容量の変化によって、指等が接触した位置を検出する。また、指等が接触した位置を検出するものであれば、上述した静電容量を用いたもの以外にも、２枚の導電膜が指等によって押されて互いに接触した際の抵抗値を検出することでその位置を検出する抵抗膜方式によるものであってもよい。
【００１９】
表示ユニット部２２は、液晶や有機ＥＬ等から構成され、タッチパネル２０に対する接触による入力操作を行うための表示や、実行されているアプリケーションの表示、壁紙の表示等を行う。入力操作を行うための表示には、実行するアプリケーションを示す情報となるアイコンの表示も含まれており、このアイコンを用いて、実行するアプリケーションが選択されることになる。
【００２０】
筐体１０の内部には、図１ｂに示すように、検出部３０と、振動部４０と、記憶部６０と、制御部５０とが内蔵されている。
【００２１】
検出部３０は、加速度センサや方位センサを有し、これら加速度センサや方位センサによって、携帯端末１の向きと移動方向を検出する。
【００２２】
振動部４０は、複数の振動パターンを発生可能に構成され、検出部３０が検出した携帯端末１の向きと移動方向に応じた振動を発生させる。
【００２３】
記憶部６０は、携帯端末１が動作するためのプログラムの他、電話帳機能やデータホルダ機能を用いて保存されたデータや、携帯端末１にて実行されるアプリケーションのプログラム等が記憶されている。
【００２４】
制御部５０は、携帯端末１全体の動作を制御するものであって、記憶部６０に記憶されたプログラムを用いて、検出部３０が検出した携帯端末１の向きと移動方向に応じたアプリケーションを実行する。具体的には、検出部３０が検出した携帯端末１の向きと移動方向に応じたアプリケーションが起動していない場合は、そのアプリケーションを起動させ、また、検出部３０が検出した携帯端末１の向きと移動方向に応じたアプリケーションが起動しており、バックグランドで実行されている場合は、そのアプリケーションを呼び出す。
【００２５】
なお、筐体１０の内部には、これらの他に、通信を司る通信部や、音声出力部、音声入力部等が設けられているが、これらは本発明に直接関係しないものであるため、説明は省略する。
【００２６】
以下に、上記のように構成された携帯端末１の制御方法について説明する。
【００２７】
図２は、図１ａ及び図１ｂに示した携帯端末１の制御方法を説明するためのフローチャートである。
【００２８】
まず、制御部５０は、携帯端末１にて実行可能なアプリケーションを選択するためのアプリケーション選択画面を表示ユニット部２２によってタッチパネル２０上に表示させる（ステップ１）。
【００２９】
図３は、図１ａ及び図１ｂに示した携帯端末１のタッチパネル２０上にアプリケーション選択画面が表示された状態を示す図である。
【００３０】
図３に示すように、タッチパネル２０上に表示されたアプリケーション選択画面には、携帯端末１にて実行可能なアプリケーションを示すアイコン２ａ〜２ｄが表示される。アイコン２ａ〜２ｄは、それぞれ互いに異なるアプリケーションを示すものであり、アイコン２ａは、携帯端末１がユーザによって操作される際の向きとされた状態において携帯端末１の上部側に配置され、このアイコン２ａから時計回りに３時の方向にアイコン２ｂが配置され、６時の方向にアイコン２ｃが配置され、９時の方向にアイコン２ｄが配置されている。タッチパネル２０上にてこれらアイコン２ａ〜２ｄを指等で接触することにより、アイコン２ａ〜２ｄによって示されるアプリケーションが実行される。本形態においては、携帯端末１の向きと移動方向に応じてアイコン２ａ〜２ｄが指定され、それに応じたアプリケーションが実行されることになる。
【００３１】
アプリケーション選択画面がタッチパネル２０上に表示されている状態において、携帯端末１のユーザが、所望のアプリケーションを起動させるために携帯端末１をそのアプリケーションに応じた方向に振ることにより、検出部３０が携帯端末１の移動を検出すると（ステップ２）、検出部３０は、携帯端末１の向きを検出する（ステップ３）。これにより、検出部３０は、携帯端末１の向きと移動方向を検出することになる。
【００３２】
検出部３０が検出した携帯端末１の向きが基準となる向きである場合は（ステップ４）、振動部４０は、検出部３０が検出した携帯端末１の移動方向に応じた振動を発生させる（ステップ６）。携帯端末１の基準となる向きとは、例えば、ユーザが携帯端末１を操作する場合のように、タッチパネル２０の面が斜め上方を向き、アイコン２ａ〜２ｄのうちアイコン２ａが表示された領域が携帯端末１の上部側となる向きである。振動部４０は、携帯端末１の移動方向が、アイコン２ａが表示された上部方向である場合と、アイコン２ｂが表示された３時の方向である場合と、アイコン２ｃが表示された６時の方向である場合と、アイコン２ｄが表示された９時の方向である場合とで、互いに異なる振動を発生させる。これは、振動部４０が発生可能な振動パターンを異ならせることによってもよいし、発生させる振動の数や強さを異ならせることによってもよい。
【００３３】
また、制御部５０は、検出部３０が検出した携帯端末１の移動方向に応じたアプリケーションを起動させるためのプログラムを記憶部６０から読み出し、対応するアプリケーションを起動させる（ステップ７）。携帯端末１の移動方向が、アイコン２ａが表示された上部方向である場合はアイコン２ａによって示されるアプリケーションを起動させ、アイコン２ｂが表示された３時の方向である場合はアイコン２ｂによって示されるアプリケーションを起動させ、アイコン２ｃが表示された６時の方向である場合はアイコン２ｃによって示されるアプリケーションを起動させ、アイコン２ｄが表示された９時の方向である場合はアイコン２ｄによって示されるアプリケーションを起動させる。例えば、携帯端末１の移動方向に応じたアプリケーションがメールアプリである場合は、電子メールを受信して報知動作を行っている状態において、受信メールを音声で読み上げる動作が行われる。
【００３４】
ここで、ユーザが携帯端末１を見ないで上述したような操作をする場合、携帯端末１が上記基準となる向きとなっているとは限らない。そこで、本形態においては、制御部５０において、検出部３０が検出した携帯端末１の向きが、上記基準となる向きではない場合にその向きに応じて携帯端末１の移動方向を補正する（ステップ５）。これは、ユーザが図３に示したようなアイコン２ａ〜２ｄの配置を覚えている場合に、携帯端末１が上記基準となる向きとなっていないにも関わらず、図３に示したようなアイコン２ａ〜２ｄの配置に基づいてユーザが携帯端末１を振ることが考えられるためである。
【００３５】
図４ａ〜４ｄは、図３に示した携帯端末１の向きに応じたアイコン２ａ〜２ｄの位置関係を示す図である。
【００３６】
図４ａに示すように、タッチパネル２０の面が斜め上方を向き、アイコン２ａが表示された領域が上部側となる向きを基準とした場合、その向きに対して携帯端末１を上下反対にすると、図４ｂに示すように、ユーザから見た場合にアイコン２ａとアイコン２ｃとが入れ替わるとともに、アイコン２ｂとアイコン２ｄとが入れ替わることになる。また、基準とする向きに対して携帯端末１を裏返すと、図４ｃに示すように、ユーザから見た場合にアイコン２ｂとアイコン２ｄとが入れ替わることになる。また、基準とする向きに対して携帯端末１を上下反対にするとともに裏返すと、図４ｄに示すように、ユーザから見た場合にアイコン２ａとアイコン２ｃとが入れ替わることになる。
【００３７】
そこで、制御部５０は、検出部３０が携帯端末１の向きとして図４ｂに示したような向きを検出した場合は、検出部３０が検出した移動方向を上下左右それぞれ反転させる。具体的には、携帯端末１の移動方向が上部方向である場合は、携帯端末１の移動方向を下部方向に補正し、携帯端末１の移動方向が上部方向である場合は、携帯端末１の移動方向を下部方向に補正し、携帯端末１の移動方向が３時の方向である場合は、携帯端末１の移動方向を９時の方向に補正し、携帯端末１の移動方向が９時の方向である場合は、携帯端末１の移動方向を３時の方向に補正する。また、制御部５０は、検出部３０が携帯端末１の向きとして図４ｃに示したような向きを検出した場合は、検出部３０が検出した移動方向を左右反転させる。具体的には、携帯端末１の移動方向が３時の方向である場合は、携帯端末１の移動方向を９時の方向に補正し、携帯端末１の移動方向が９時の方向である場合は、携帯端末１の移動方向を３時の方向に補正する。また、制御部５０は、検出部３０が携帯端末１の向きとして図４ｄに示したような向きを検出した場合は、検出部３０が検出した移動方向を上下反転させる。具体的には、携帯端末１の移動方向が上部方向である場合は、携帯端末１の移動方向を下部方向に補正し、携帯端末１の移動方向が下部方向である場合は、携帯端末１の移動方向を上部方向に補正する。
【００３８】
振動部４０は補正された移動方向に応じた振動を発生させ、制御部５０は補正された移動方向に応じたアプリケーションを起動させるため、ユーザが携帯端末１を振ることにより指定したアイコン２ａ〜２ｄに応じた振動が発生するとともにアプリケーションが起動することになる。例えば、ユーザが、携帯端末１を図３に示した向きで把持しているものと意識しており、アイコン２ａに応じたアプリケーションを起動させようとした場合、ユーザは携帯端末１を上部方向に振ることになるが、携帯端末１を図４ｂに示したような向きで把持していると、携帯端末１の上部方向にはアイコン２ｃが配置されているため、アイコン２ｃに応じたアプリケーションが起動してしまうことになる。ところが、上述したような移動方向の補正をかけることにより、携帯端末１の移動方向が下部方向に補正され、携帯端末１を下部方向に配置されたアイコン２ａに応じた振動が発生するとともにアプリケーションが起動することになる。
【００３９】
このように本形態においては、検出部３０において、携帯端末１の移動方向と向きという、ｘｙ方向の姿勢の変化のみならずｚ方向の向きを検出し、これら携帯端末１の移動方向と向きに応じた振動を発生させるとともにアプリケーションを起動させるため、ユーザは携帯端末１を見ることなく、携帯端末１を把持した状態において所望の方向へ振る動作を行うことで、所望のアプリケーションを起動することが可能となる。
【００４０】
（第２の実施の形態）
図５ａは、本発明の携帯端末の第２の実施の形態を示す外観図である。図５ｂは、本発明の携帯端末の第２の実施の形態を示す機能ブロック図である。
【００４１】
本形態は図５ａ及び図５ｂに示すように、図１ａ及び図１ｂに示したものに対して、筐体１１０の形状が異なっている。筐体１１０には、その両側面のそれぞれに凹凸１１１ａ，１１１ｂが形成されており、その位置が筐体１１０の中央部からずれていることにより、ユーザが携帯端末１０１を把持した場合に触覚によって携帯端末１０１の向きを認識可能となっている。
【００４２】
以下に、上記のように構成された携帯端末１０１の制御方法について説明する。
【００４３】
図６は、図５ａ及び図５ｂに示した携帯端末１０１の制御方法を説明するためのフローチャートである。
【００４４】
まず、制御部５０は、図３に示したような携帯端末１０１にて実行可能なアプリケーションを選択するためのアプリケーション選択画面を表示ユニット部２２によってタッチパネル２０上に表示させる（ステップ１０１）。
【００４５】
アプリケーション選択画面がタッチパネル２０上に表示されている状態において、携帯端末１０１のユーザが、所望のアプリケーションを起動させるために携帯端末１０１をそのアプリケーションに応じた方向に振ることにより、検出部１３０が携帯端末１０１の移動を検出すると（ステップ１０２）、振動部４０は、検出部１３０が検出した携帯端末１０１の移動方向に応じた振動を発生させる（ステップ１０３）。振動部４０は、携帯端末１０１の移動方向が、アイコン２ａが表示された上部方向である場合と、アイコン２ｂが表示された３時の方向である場合と、アイコン２ｃが表示された６時の方向である場合と、アイコン２ｄが表示された９時の方向である場合とで、互いに異なる振動を発生させる。
【００４６】
また、制御部５０は、検出部１３０が検出した携帯端末１０１の移動方向に応じたアプリケーションを起動させるためのプログラムを記憶部６０から読み出し、対応するアプリケーションを起動させる（ステップ１０４）。携帯端末１０１の移動方向が、アイコン２ａが表示された上部方向である場合はアイコン２ａによって示されるアプリケーションを起動させ、アイコン２ｂが表示された３時の方向である場合はアイコン２ｂによって示されるアプリケーションを起動させ、アイコン２ｃが表示された６時の方向である場合はアイコン２ｃによって示されるアプリケーションを起動させ、アイコン２ｄが表示された９時の方向である場合はアイコン２ｄによって示されるアプリケーションを起動させる。
【００４７】
ここで、本形態においては、筐体１１０の両側面のそれぞれに凹凸１１１ａ，１１１ｂが形成されており、その位置が筐体１１０の中央部からずれていることにより、ユーザが携帯端末１０１を把持した場合に携帯端末１０１の向きを触覚によって認識可能となっていることにより、ユーザは、携帯端末１０１をどのような向きで把持しているかを認識することができる。そのため、第１の実施の形態に示したもののように携帯端末１０１の向きに応じて携帯端末１０１の移動方向を補正することなく、ユーザ自身が携帯端末１０１の把持状態や振る方向を補正して所望のアプリケーションを起動させることができる。
【００４８】
なお、筐体１１０の形状を携帯端末１０１の向きを認識可能なものとするには、上述したような凹凸を形成することに限らない。例えば、筐体１０１の外形や模様を左右非対称としたり、タッチパネル２０が設けられた面とその裏面とで材質を相違させたり、凹凸も側面ではなく、タッチパネル２０が設けられた面とその裏面に設けることが考えられる。また、携帯端末１０１の断面形状が台形状となるように筐体を変形直方体形状としてもよい。
【００４９】
なお、上述した２つの実施の形態においては、携帯端末１，１０１の移動方向に応じてアプリケーションを起動させているが、上述したように、検出部３０が検出した携帯端末１の移動方向に応じたアプリケーションが起動しており、バックグランドで実行されている場合は、そのアプリケーションを呼び出すものであってもよい。
【００５０】
（他の実施の形態）
上述した実施の形態においては、携帯端末の移動方向に応じてアプリケーションを起動させているが、携帯端末の移動方向に応じて携帯端末のロック状態を解除する構成とすることも考えられる。
【００５１】
携帯端末は、操作無しの状態が一定時間継続した場合に、タッチパネルにおける表示やタッチパネルに対する入力操作の少なくとも１つの処理を受け付けない状態とするロック状態とすることが可能である。
【００５２】
そこで、携帯端末がロック状態において、携帯端末が所定方向に振られて所定方向への移動が検出された場合に、ロック状態を解除する構成とする。なお、その場合においても、移動方向に対応する振動を発生させる。また、携帯端末の移動について、所定方向に対してどれほど移動し、あるいはどれほどの加速度で振られたか、また、数回の振られる動作を検知した場合、１回目、２回目及びそれ以降の振られる動作において、検知した方向性やそのベクトル量を検知し、これらが所定のパターンである場合にロック状態を解除してもよい。
【００５３】
さらに、ロック状態を解除するために携帯端末を振る方向を、携帯端末の形状やタッチパネルにおける表示状態によってユーザに通知してもよい。これにより、ユーザは、知覚あるいは視認によって所定の方向性を認識した上で、ロック状態の解除に対応するパターンに従って携帯端末を振ることでロック状態の解除を行うことが可能となる。
【００５４】
ここで、上述したロック状態を解除する指示に対応する第１の所定方向への移動と、その移動に引き続き、特定のアプリケーションを起動する指示に対応する第２の所定方向への移動が連続的に起こった場合、それぞれの方向に対応する振動パターンを連続的に発生させることも考えられる。
【００５５】
ユーザが携帯端末を所定方向に向けて振る、または移動させる操作を行うと、制御部は、まず現在の携帯端末の状態がロック状態にあるかアンロック状態（ホーム画面等が表示された状態）にあるかを判別する。ここで、ロック状態にある場合、制御部は、検出部にて検出した所定方向に向けた移動情報（以下、第１の移動情報と称する）を受けて、対応する機能としてロック解除指示を行う。またその際、振動部において、ロック解除指示に対応する振動パターン（以下、第１の振動パターンと称する）による振動を発生させる。なお、ロック状態においては、携帯端末の移動方向として右方向のみとしたような制限を設けず、携帯端末の平面方向における上下左右の移動のいずれかである場合に、ロック解除指示として反映させてもよい。
【００５６】
制御部は、第１の移動情報を受けて第１の振動パターンによる振動が発生した後の一定期間内においても、さらに検出部にて携帯端末の移動が検出されると、この移動方向を判断する。その後に、この移動方向に対応するアプリケーションの起動等の機能の指示を行い、振動部において、その機能に対応する振動パターンによる振動が発生する。
【００５７】
このような制御を行うことにより、ユーザは、携帯端末の平面上のｘｙ座標軸方向に沿った振る動作を行うと、まずロック状態の解除を指示する第１の振動パターンによる振動を知覚することが可能となる。そして、その知覚をした後でも携帯端末を振る動作を継続すると、振る動作を行った方向に対応する特定の機能やアプリケーションを起動する指示を与え、なおかつその指示が確かになされたことを第２の振動パターンによる振動で知覚することが可能となる。
【００５８】
これにより、ユーザは一連の振る動作において２つの指示を携帯端末に与えることが可能となる。すなわち１つ目の指示は、ロック状態の解除であり、２つ目の指示はその振る方向に対応したアプリケーションの起動指示である。それにより、ユーザはロック状態であっても、特定のアプリケーションを１つの動作で起動させることが可能となる。
【００５９】
また、単なるロック状態を解除することのみを目的とする場合には、１度目の振動パターンによる振動を知覚した場合に振る動作をやめればよいこととなる。
【００６０】
なお、上述した所定期間長は、ユーザが１度目の振動パターンの知覚後、振る動作をやめるかどうかを判断して、実際にやめるまでの動作の間の時間に応じて、可変としてもよい。これにより、ユーザにとって好ましいタイミングで、振る動作に対してロック状態の解除を目的とする動作か、所望のアプリケーションを起動するまでの動作かを設定することが可能となる。
【００６１】
なお、本発明の構成要素は、上述したブロック図に示されるような機能として分離されるものに限らず、適宜、機能毎に分離した構成としてもよい。
【００６２】
また、本発明においては、携帯端末内の処理は上述の専用のハードウェアにより実現されるもの以外に、その機能を実現するためのプログラムを携帯端末となるコンピュータにて読取可能な記録媒体に記録し、この記録媒体に記録されたプログラムを携帯端末に読み込ませ、実行するものであっても良い。携帯端末にて読取可能な記録媒体とは、ＩＣカードやメモリカード、あるいは、フロッピーディスク（登録商標）、光磁気ディスク、ＤＶＤ、ＣＤ等の移設可能な記録媒体の他、携帯端末に内蔵されたＨＤＤ等を指す。この記録媒体に記録されたプログラムは、例えば、制御ブロックにて読み込まれ、制御ブロックの制御によって、上述したものと同様の処理が行われる。
【００６３】
また、本発明に用いられる携帯端末は、タブレット端末、スマートフォン、携帯電話機、携帯音楽プレーヤーや携帯ゲーム機、ノートＰＣ、ＰＤＡ（Personal Date Assistants）、デジタルカメラ、リモコン等であってもよい。
【００６４】
上記の実施の形態の一部または全部は、以下の付記のようにも記載され得るが、以下には、限られない。
【００６５】
（付記１）
携帯端末であって、
前記携帯端末の向き及び移動方向を検出する検出手段と、
前記検出手段が検出した向き及び移動方向に応じた振動を発生させる振動手段と、
前記検出手段が検出した向き及び移動方向に応じた動作を実行する制御手段とを有する携帯端末。
【００６６】
（付記２）
付記１に記載の携帯端末において、
前記携帯端末にて実行されるアプリケーションを示す情報を表示する表示手段を有し、
前記制御手段は、前記検出手段が検出した移動方向を、前記検出手段が検出した向きに応じて補正し、前記表示手段にて表示される位置が、前記補正された移動方向である情報によって示されるアプリケーションを実行する携帯端末。
【００６７】
（付記３）
携帯端末であって、
前記携帯端末の移動方向を検出する検出手段と、
前記検出手段が検出した移動方向に応じた振動を発生させる振動手段と、
前記検出手段が検出した移動方向に応じた動作を実行する制御手段と、
触覚によって前記携帯端末の向きが認識可能な筐体とを有する携帯端末。
【００６８】
（付記４）
付記３に記載の携帯端末において、
前記携帯端末にて実行されるアプリケーションを示す情報を表示する表示手段を有し、
前記制御手段は、前記表示手段にて表示される位置が、前記検出手段が検出した移動方向である情報によって示されるアプリケーションを実行する携帯端末。
【００６９】
（付記５）
付記１乃至４のいずれか１項に記載の携帯端末において、
前記制御手段は、前記携帯端末の移動方向に応じて当該携帯端末のロック状態を解除する携帯端末。
【００７０】
（付記６）
携帯端末の制御方法であって、
前記携帯端末の向き及び移動方向を検出する検出処理と、
前記検出処理が検出した向き及び移動方向に応じた振動を発生させる振動処理と、
前記検出処理が検出した向き及び移動方向に応じた動作を実行する動作実行処理とを有する制御方法。
【００７１】
（付記７）
携帯端末に、
前記携帯端末の向き及び移動方向を検出する検出手順と、
前記検出手順が検出した向き及び移動方向に応じた振動を発生させる振動手順と、
前記検出手順が検出した向き及び移動方向に応じた動作を実行する動作実行手順とを実行させるためのプログラム。
【００７２】
以上、実施例を参照して本願発明を説明したが、本願発明は上記実施例に限定されるものではない。本願発明の構成や詳細には、本願発明のスコープ内で当業者が理解し得る様々な変更をすることができる。
【００７３】
この出願は、２０１２年９月１９日に出願された日本出願特願２０１２−２０５６９９を基礎とする優先権を主張し、その開示の全てをここに取り込む。
【図１ａ】
2014045765.tif 000003
【図１ｂ】
2014045765.tif 000004
【図２】
2014045765.tif 000005
【図３】
2014045765.tif 000006
【図４ａ】
2014045765.tif 000007
【図４ｂ】
2014045765.tif 000008
【図４ｃ】
2014045765.tif 000009
【図４ｄ】
2014045765.tif 000010
【図５ａ】
2014045765.tif 000011
【図５ｂ】
2014045765.tif 000012
【図６】
2014045765.tif 000013
【国際調査報告】
2014045765.tif 000014
2014045765.tif 000015
2014045765.tif 000016
2014045765.tif 000017